【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
第１設定タブを含むと共に、前記第１設定タブに関連する第１画像をメイン画像として、第２設定タブに関連する第２画像をサブ画像として含む第１の表示画面データを生成し、表示部へ送信する第１ステップと、
前記第２設定タブが選択されると、前記第２設定タブを含むと共に、前記第２画像をメイン画像として、前記第１画像をサブ画像として含む第２の表示画面データを生成し、前記表示部へ送信する第２ステップと
をコンピュータに実行させる
印刷設定プログラム。
【請求項２】
前記第１ステップにおいて、前記第１の表示画面データとして、前記第１設定タブを含むと共に、前記第１画像をメイン画像として、前記第２画像をサブ画像として含み、さらに、前記第１設定タブに対応する複数の印刷設定項目を含む表示画像データを生成し、前記表示部へ送信し、
当該印刷設定プログラムは、
前記複数の印刷設定項目のいずれかが選択されると、選択された前記印刷設定項目に対応する第３画像をメイン画像として含む第３の表示画面データを生成し、前記表示部へ送信する第３ステップを更に含む
請求項１に記載の印刷設定プログラム。
【請求項３】
前記第３ステップにおいて、メイン画像として表示されている前記第１画像に対応する前記印刷設定項目のカテゴリとは異なるカテゴリの前記印刷設定項目が選択されると、前記第３の表示画面データとして、選択された前記印刷設定項目に対応する第４画像をメイン画像として、前記第３画像をサブ画像として含む表示画像データを生成し、前記表示部へ送信する
請求項２に記載の印刷設定プログラム。
【請求項４】
前記第３ステップにおいて、メイン画像として表示されている前記第１画像に対応する前記印刷設定項目のカテゴリと一致するカテゴリの前記印刷設定項目が選択されると、前記第３の表示画面データとして、選択された前記印刷設定項目に対応する第４画像をメイン画像として、前記第２画像をサブ画像として含む表示画像データを生成し、前記表示部へ送信する
請求項２に記載の印刷設定プログラム。
【請求項５】
第１設定タブを含むと共に、前記第１設定タブに関連する第１画像をメイン画像として、第２設定タブに関連する第２画像をサブ画像として含む第１の表示画面データを生成し、画面に表示することと、
前記第２設定タブが選択されると、前記第２設定タブを含むと共に、前記第２画像をメイン画像として、前記第１画像をサブ画像として含む第２の表示画面データを生成し、前記画面に表示ことと
を含む
印刷設定表示方法。
【請求項６】
第１設定タブおよび第２設定タブのいずれかを表示可能であり、前記第１設定タブに関連する第１画像と、前記第２設定タブに関連する第２画像とを、前記第１設定タブおよび前記第２設定タブ上で共に表示する表示部と、
ユーザから前記第１設定タブおよび前記第２設定タブのいずれかの選択を受け付ける受付部と
を備え、
前記受付部で前記第１設定タブの選択を受け付けると、前記表示部は、前記第１設定タブを表示すると共に、前記第１設定タブ上に前記第１画像をメイン画像として、前記第２画像をサブ画像として表示し、
前記受付部で前記第２設定タブの選択を受け付けると、前記表示部は、前記第２設定タブを表示すると共に、前記第２設定タブ上に前記第２画像をメイン画像として、前記第１画像をサブ画像として表示する
情報処理装置。
【請求項７】
ネットワーク上の情報処理装置と通信可能な情報処理サーバであって、
プリンタドライバを記憶する記憶部と、
前記情報処理装置からの要求に従って、前記記憶部内の前記プリンタドライバを前記情報処理装置に送信する送信部と
を備え、
前記プリンタドライバは、
第１設定タブおよび第２設定タブと、前記第１設定タブに関連する第１画像と、前記第２設定タブに関連する第２画像とを含むライブラリと、
下記の第１ステップおよび下記の第２ステップをコンピュータに実行させる印刷設定プログラムとを含む
情報処理サーバ。
（１）前記第１設定タブを含むと共に、前記第１画像をメイン画像として、前記第２画像をサブ画像として含む第１の表示画面データを生成し、表示部へ送信する第１ステップ
（２）前記第２設定タブが選択されると、前記第２設定タブを含むと共に、前記第２画像をメイン画像として、前記第１画像をサブ画像として含む第２の表示画面データを生成し、前記表示部へ送信する第２ステップ
【請求項８】
第１設定画面および第２設定画面の情報を含むプリンタドライバ設定画面情報と、前記第１設定画面に対応する第１表示画像と、前記第２設定画面に対応する第２表示画像とを格納するプリンタドライバ情報格納部と、
前記第１設定画面および前記第２設定画面において、ユーザに選択された一方の選択画面を他方の選択画面の上層に表示し、前記上層に表示された、前記第１設定画面および前記第２設定画面のいずれか一方の上に、前記第１表示画像および前記第２表示画像のうち一方をメイン画像とし他方をサブ画像として表示するプリンタドライバ設定画面表示部と、
前記第１設定画面が上層にあるときに前記第２設定画面が選択されると、前記第１設定画面から前記第２設定画面に上層を切り替え、前記上層となった前記第２設定画面において、前記メイン画像として前記第２表示画像を表示するとともに、前記サブ画像として前記第１表示画像を表示し、前記第２設定画面が上層にあるときに前記第１設定画面が選択されると、前記第２設定画面から前記第１設定画面に前記上層を切り替え、前記上層となった前記第１設定画面において、前記メイン画像として前記第１表示画像を表示するとともに、前記サブ画像として前記第２表示画像を表示するプリンタドライバ表示切替部と
を備えた
情報処理装置。
【請求項９】
前記上層とは、前記ユーザに選択された前記一方の設定画面の全体が表示された状態であるのに対し、前記他方の設定画面の一部が表示されることを指している
請求項８に記載の情報処理装置。
【手続補正２】
【補正対象書類名】明細書
【補正対象項目名】０００８
【補正方法】変更
【補正の内容】
【０００８】
本発明の一実施の形態としての第１の情報処理装置は、表示部と、受付部とを備えている。表示部は、第１設定タブおよび第２設定タブのいずれかを表示可能であり、第１設定タブに関連する第１画像と、第２設定タブに関連する第２画像とを、第１設定タブおよび第２設定タブ上で共に表示する。受付部は、ユーザから第１設定タブおよび第２設定タブのいずれかの選択を受け付ける。受付部で第１設定タブの選択を受け付けると、表示部は、第１設定タブを表示すると共に、第１設定タブ上に第１画像をメイン画像として、第２画像をサブ画像として表示する。受付部で第２設定タブの選択を受け付けると、表示部は、第２設定タブを表示すると共に、第２設定タブ上に第２画像をメイン画像として、第１画像をサブ画像として表示する。
本発明の一実施の形態としての第２の情報処理装置は、プリンタドライバ情報格納部と、プリンタドライバ設定画面表示部と、プリンタドライバ表示切替部とを備えている。プリンタドライバ情報格納部は、第１設定画面および第２設定画面の情報を含むプリンタドライバ設定画面情報と、第１設定画面に対応する第１表示画像と、第２設定画面に対応する第２表示画像とを格納している。プリンタドライバ設定画面表示部は、第１設定画面および第２設定画面において、ユーザに選択された一方の選択画面を他方の選択画面の上層に表示し、上層に表示された、第１設定画面および第２設定画面のいずれか一方の上に、第１表示画像および第２表示画像のうち一方をメイン画像とし他方をサブ画像として表示する。プリンタドライバ表示切替部は、第１設定画面が上層にあるときに第２設定画面が選択されると、第１設定画面から第２設定画面に上層を切り替え、上層となった第２設定画面において、メイン画像として第２表示画像を表示するとともに、サブ画像として第１表示画像を表示し、第２設定画面が上層にあるときに第１設定画面が選択されると、第２設定画面から第１設定画面に上層を切り替え、上層となった第１設定画面において、メイン画像として第１表示画像を表示するとともに、サブ画像として第２表示画像を表示する。